(57)【要約】【課題】複数のビデオＥＳを持つ番組に対して、その番組に含まれる全てのビデオＥＳを同時にデコードすることにより、複数のビデオＥＳを切り替えるときの制御を簡略化し、切替時間を短縮できるようにする。【解決手段】デバイスの接続関係は図の点線に示すように、デスクランブラ１２〜ＰＩＤフィルタ１３間以外の接続は、基本的に一対一対応の接続となる。例えば、選局経路（１）のＴｕｎｅｒ（１）の出力は、Ｄｅｓｃｒ（１）の入力にしか接続することができない。そしてデスクランブラ１２〜ＰＩＤフィルタ１３間のみ、接続関係が一対一ではなく、デスクランブラ１２の出力は、複数のＰＩＤフィルタ１３の入力に接続され、１つの番組の選局のために複数の選局経路（１）〜（ｎ）を使用することが可能になる。【選択図】図１
2007267213.tif 000002
【特許請求の範囲】
【請求項１】
デジタル放送を受信することのできるチューナーと、
該チューナーで受信したデジタル放送のスクランブル解除を行うデスクランブラと、
該デスクランブラから出力されたデジタル放送の番組データから、所望の番組データのみをフィルタリングするＰＩＤフィルタと、
該ＰＩＤフィルタを通過した番組データを、ビデオストリーム及びオーディオストリームを含むＡＶストリームと、番組情報を含む付加情報とに分離するＤｅｍｕｘと、
ビデオストリームのデコードを行うビデオデコーダと、
該ビデオデコーダからの出力であるビデオ信号を選択するセレクタと、
該セレクタで選択されたビデオ信号の出力を行う複数個の出力部とを備えたデジタル放送受信装置において、
複数のビデオエレメンタリーストリームを持つ番組データに対して、それぞれのビデオエレメンタリーストリームのデコードを同時に行うことができるデバイスを具備したことを特徴とするデジタル放送受信装置。
【請求項２】
請求項１に記載のデジタル放送受信装置において、
前記複数のビデオエレメンタリーストリームを持つ番組データに対して、それぞれのビデオエレメンタリーストリームのデコードを同時に行うか否かを設定可能としたことを特徴とするデジタル放送受信装置。
【請求項３】
請求項１に記載のデジタル放送受信装置において、
前記複数のビデオエレメンタリーストリームを持つ番組データに対して、同時にビデオデコードするビデオエレメンタリーストリームの個数の設定、または前記複数のビデオエレメンタリーストリームの全てを同時にデコードする設定、を可能としたことを特徴とするデジタル放送受信装置。
【請求項４】
請求項１に記載のデジタル放送受信装置において、
前記複数のビデオエレメンタリーストリームのデコードを行う複数のデバイスの使用状況を管理する管理テーブルを有し、該管理テーブルの使用状況に従って複数のビデオエレメンタリーストリームのデコードを行うデバイスを選択することを特徴とするデジタル放送受信装置。
【請求項５】
請求項１に記載のデジタル放送受信装置において、
前記複数のビデオエレメンタリーストリームが一つの放送番組に含まれている場合、前記複数のビデオエレメンタリーストリームを同時にデコードした後、該複数のビデオエレメンタリーストリームの出力の切り替えをセレクタ処理のみで行うことを特徴とするデジタル放送受信装置。
【請求項６】
請求項１に記載のデジタル放送受信装置において、
前記複数のビデオエレメンタリーストリームが一つの放送番組に含まれている場合、前記複数のビデオエレメンタリーストリームを同時にデコードした後、該複数のビデオエレメンタリーストリームを同時に出力可能としたことを特徴とするデジタル放送受信装置。
【請求項７】
請求項１に記載のデジタル放送受信装置において、
前記複数のビデオエレメンタリーストリームを表示装置に出力し、該表示装置の表示画面を分割して、前記複数のビデオエレメンタリーストリームを各分割領域にそれぞれ表示可能としたことを特徴とするデジタル放送受信装置。
【発明の詳細な説明】
【技術分野】
【０００１】
本発明は、デジタルテレビ放送の受信装置に関し、特に複数のビデオ信号を含む放送信号の受信から映像出力を行う構成を備えたデジタルテレビ放送受信装置に関する。
【背景技術】
【０００２】
現在、日本のデジタル放送としては、ＢＳ（Ｂｒｏａｄｃａｓｔ  Ｓａｔｅｌｌｉｔｅ）放送およびＣＳ（Ｃｏｍｍｕｎｉｃａｔｉｏｎ  Ｓａｔｅｌｌｉｔｅ）放送に加え、地上デジタル放送が運用されている。
デジタル放送では、１つの番組は複数のビデオエレメンタリーストリーム（以下ＥＳとする）データから構成される。ＥＳデータには、ビデオ・オーディオ・データ・字幕・スーパーなどの種類があり、それぞれの種類のＥＳデータがエンコードされた状態で送信されている。また、デジタル放送は、それぞれの種類のＥＳデータを複数持たせることができる。例えば、ビデオＥＳを２個、オーディオＥＳを２個含む番組を構成することが可能である。
【０００３】
現在の放送において、複数のビデオＥＳを送信している例として階層化伝送がある。階層化伝送とは、通常の映像信号（高階層）とともに、これと同じ内容で低ビットレートに落とした映像信号（低階層）を同時に送信するものである。衛星放送では、降雨などが存在する伝送環境では著しく信号強度が減衰するため、このような状況では、通常の映像信号（高階層）をブロックノイズなしに視聴することが困難になる。そこで、受信強度の低い状況では、ビットレートの低い低階層の映像信号を受信してその映像を出力することによって、映像を視聴することができない状態を回避している。
【０００４】
また、その他の例として、１つの番組内に複数のオーディオＥＳを持つ番組も存在し、一方のオーディオＥＳに日本語、もう一方のオーディオＥＳに外国語の音声データを乗せて放送している。
【０００５】
以上のように、それぞれの種類のＥＳデータに関して、１つの番組内に複数のＥＳデータを重畳することが可能であるが、現在のデジタル放送受信機においては、同じ番組内の同じ種類のＥＳデータを切り替えるときは、その複数存在するＥＳを順番に切り替える方式が一般的に用いられている。
例えば、１つの番組内にビデオＥＳ１〜ビデオＥＳ５のＥＳデータがあるとき、ビデオＥＳ１を視聴中に映像が切り替えられた場合は、ビデオＥＳ１からビデオＥＳ２に切り替えられる。またビデオＥＳ２を視聴中に映像が切り替えられた場合は、ビデオＥＳ２からビデオＥＳ３に切り替えられる、といった処理になる。
【０００６】
現在のデジタル放送受信機では、選局を行うための経路は１つないし２つであり、かつ、それぞれの経路では、別の番組の選局を行うのが一般的であるため、複数のビデオＥＳの同時デコードを行う構成にするのは困難、という背景がある。そのため、ＥＳデータを切り替えるときは、切り替える前のビデオＥＳ  ＰＩＤのクリア、およびビデオデコーダの停止を行う必要があり、さらに切り替え先のビデオＥＳ  ＰＩＤの設定、およびビデオデコーダの開始を行う必要があるので、ビデオＥＳ切り替えのために時間がかかるという問題がある。
また、一度に１つのビデオＥＳのデコードしか行うことができないので、出力部が複数個備えられているシステムにおいても、１つの番組に含まれる複数のビデオＥＳのデコード後の映像を同時に視聴することができない。
【０００７】
上記のようなＥＳデータの受信技術に関し、例えば、特許文献１では、信号フォーマット推移にともない複数チャンネルからの選局が可能な場合に、チャンネル選択画面を表示して選局を可能にするデジタル放送受信装置が開示されている。ここでは、選択画面作成手段においてチャンネル選択画面を作成・出力し、前記チャンネル選択画面を受信者が操作することにより、複数チャンネルからの選局が可能となる。更に復号された映像やチャンネル・番組情報等を前記チャンネル選択画面と合成表示することで、視覚的な選局が可能となっている。
【特許文献１】特開２００１−２４９５９号公報
【発明の開示】
【発明が解決しようとする課題】
【０００８】
上記に示すように、１つの選局経路を用いて、１つの番組に含まれる複数のビデオＥＳを順番に切り替えていたのでは、映像切り替えが発生するごとに切り替える前のビデオＥＳ  ＰＩＤのクリアおよびビデオデコーダの停止、ビデオＥＳ  ＰＩＤの設定およびビデオデコーダの開始を行う必要があり、映像切り替えに時間がかかり、また制御の煩わしさが発生するという課題が生じている。
また同時に複数のビデオＥＳをデコードしていないため、番組に含まれる複数のビデオＥＳを同時に映像出力することができないという課題もある。
【０００９】
また特許文献１の技術では、信号フォーマットが推移して複数チャンネルからの選局が可能である場合に、チャンネル選択画面を表示して選局を容易にする構成が開示されているが、上記のように１つの選局経路を用いて、番組データに含まれる複数のビデオＥＳを切り替えるときの時間短縮と制御の簡略化に関しては、開示されていない。
【００１０】
本発明は、上述のごとき実情に鑑みてなされたもので、複数のビデオＥＳを持つ番組に対して、その番組に含まれる全てのビデオＥＳを同時にデコードすることにより、複数のビデオＥＳを切り替えるときの制御を簡略化し、切替時間を短縮できるようにしたデジタル放送受信装置を提供することを目的とする。
【課題を解決するための手段】
【００１１】
上記課題を解決するために、第１の技術手段は、デジタル放送を受信することのできるチューナーと、チューナーで受信したデジタル放送のスクランブル解除を行うデスクランブラと、デスクランブラから出力されたデジタル放送の番組データから、所望の番組データのみをフィルタリングするＰＩＤフィルタと、ＰＩＤフィルタを通過した番組データを、ビデオストリーム及びオーディオストリームを含むＡＶストリームと、番組情報を含む付加情報とに分離するＤｅｍｕｘと、ビデオストリームのデコードを行うビデオデコーダと、ビデオデコーダからの出力であるビデオ信号を選択するセレクタと、セレクタで選択されたビデオ信号の出力を行う複数個の出力部とを備えたデジタル放送受信装置において、複数のビデオエレメンタリーストリームを持つ番組データに対して、それぞれのビデオエレメンタリーストリームのデコードを同時に行うことができるデバイスを具備したことを特徴としたものである。
【００１２】
第２の技術手段は、第１の技術手段において、複数のビデオエレメンタリーストリームを持つ番組データに対して、それぞれのビデオエレメンタリーストリームのデコードを同時に行うか否かを設定可能としたことを特徴としたものである。
【００１３】
第３の技術手段は、第１の技術手段において、複数のビデオエレメンタリーストリームを持つ番組データに対して、同時にビデオデコードするビデオエレメンタリーストリームの個数の設定、または複数のビデオエレメンタリーストリームの全てを同時にデコードする設定、を可能としたことを特徴としたものである。
【００１４】
第４の技術手段は、第１の技術手段において、複数のビデオエレメンタリーストリームのデコードを行う複数のデバイスの使用状況を管理する管理テーブルを有し、管理テーブルの使用状況に従って複数のビデオエレメンタリーストリームのデコードを行うデバイスを選択することを特徴としたものである。
【００１５】
第５の技術手段は、第１の技術手段において、複数のビデオエレメンタリーストリームが一つの放送番組に含まれている場合、複数のビデオエレメンタリーストリームを同時にデコードした後、複数のビデオエレメンタリーストリームの出力の切り替えをセレクタ処理のみで行うことを特徴としたものである。
【００１６】
第６の技術手段は、第１の技術手段において、複数のビデオエレメンタリーストリームが一つの放送番組に含まれている場合、複数のビデオエレメンタリーストリームを同時にデコードした後、複数のビデオエレメンタリーストリームを同時に出力可能としたことを特徴としたものである。
【００１７】
第７の技術手段は、第１の技術手段において、複数のビデオエレメンタリーストリームを表示装置に出力し、表示装置の表示画面を分割して、複数のビデオエレメンタリーストリームを各分割領域にそれぞれ表示可能としたことを特徴としたものである。
【発明の効果】
【００１８】
本発明によれば、複数のビデオＥＳを持つ番組に対して、その番組に含まれる全てのビデオＥＳを同時にデコードすることにより、複数のビデオＥＳを切り替えるときの制御を簡略化し、切替時間を短縮できるようにしたデジタル放送受信装置を提供することができる。
特に一つの番組内の複数のビデオＥＳのデコードを同時に行うことにより、同じ番組のビデオＥＳの映像を同時に映像出力させることができる。また、他の番組のビデオＥＳのデコードを同時に行っている場合においても、セレクタの制御のみで他の番組のビデオＥＳに切り替えることができるので、選局にかかる時間の短縮が実現できる。
【００１９】
また本発明では、複数のビデオＥＳを切り替えるときに、セレクタ制御によって切り替え先の映像出力を選択するだけで、ビデオＥＳ切り替えを容易に行うことができるようになる。
【発明を実施するための最良の形態】
【００２０】
以下、図面を参照してこの本発明の実施の形態について説明する。
図１は、本発明によるデジタル放送受信装置の一実施形態を説明するためのブロック図で、複数のビデオＥＳを同時にデコードするためのシステムの構成例を示すものである。本システムは、デジタル放送を受信可能なテレビジョン受信機に好適に適用することができる。
【００２１】
図１において、選局を行うためのデバイス１０は、デジタル放送を受信することのできるｎ個のチューナー１１（Ｔｕｎｅｒ（１）〜（ｎ））と、スクランブル放送の解除を行うｎ個のデスクランブラ１２（Ｄｅｓｃｒ（１）〜（ｎ））と、番組データから所望のデータのみをフィルタリングするｎ個のＰＩＤフィルタ１３（ＰＩＤ Ｆｉｌ（１）〜（ｎ））と、番組データをビデオストリームやオーディオストリームなどのＡＶストリームと番組情報などの付加情報とに分離するｎ個のＤｅｍｕｘ１４（Ｄｅｍｕｘ（１）〜（ｎ））と、ビデオストリームのデコードを行うｎ個のビデオデコーダ１５（Ｄｅｃｏｄｅｒ（１）〜（ｎ））と、出力であるビデオ信号を選択するセレクタ１６と、ビデオ信号の出力を行うｍ個の出力部１７（Ｏｕｔｐｕｔ（１）〜（ｍ））と、から成っている。
【００２２】
本実施形態における出力部１７は、例えば、デジタル放送受信装置の表示装置または外部装置への出力端子を指す。ここでは、１つのビデオＥＳデータをデコードした映像データを、複数の出力部１７から出力することが可能なシステムについて考えるので、入力個数ｎと映像出力数ｍの間に特別な関係は規定されない。
【００２３】
また、デバイスの接続関係は図１の点線の通りになる。すなわち、デスクランブラ１２〜ＰＩＤフィルタ１３間以外の接続は、基本的に一対一対応の接続となる。例えば、選局経路（１）のＴｕｎｅｒ（１）の出力は、Ｄｅｓｃｒ（１）の入力にしか接続することができない。
そしてデスクランブラ１２〜ＰＩＤフィルタ１３間のみ、接続関係が一対一ではなく、デスクランブラ１２の出力は、複数のＰＩＤフィルタ１３の入力に接続され、１つの番組の選局のために複数の選局経路（１）〜（ｎ）を使用することが可能になる。
【００２４】
さらに、本実施形態のシステムは、以下に示す機能を搭載している。
ａ）番組データに複数のビデオＥＳが含まれていた場合、複数のビデオＥＳを同時にデコードするか否かを選択および設定可能とする機能。
ｂ）番組データに複数のビデオＥＳが含まれていた場合、かつ複数のビデオＥＳを同時にデコードする設定が有効の場合、デコードするビデオＥＳの個数の設定、もしくはその番組に含まれる全てのビデオＥＳをデコードする設定を可能とする機能。
【００２５】
図２は、本発明によるデジタル放送受信装置における選局処理の一例を説明するためのフローチャートである。
本フローチャートの処理は、選局開始から始まる（ステップＳ１）。選局開始のトリガーとしては、ユーザが選局ボタンを押したとき、ＰＡＴ（Ｐｒｏｇｒａｍ  Ａｓｓｏｃｉａｔｉｏｎ  Ｔａｂｌｅ）もしくはＰＭＴ（Ｐｒｏｇｒａｍ  Ｍａｐ  Ｔａｂｌｅ）の更新が行われたとき、予約が開始されたとき、などがある。
【００２６】
選局開始を受けて、チューナー１１の同調が行われる（ステップＳ２）。チューナー１１の同調とは、チューナー１１に対して選局を行いたい番組の周波数を設定する処理であり、この処理を行うことによって選局を行いたい番組のトランスポートストリーム（以下、ＴＳと記す）がチューナー１１から出力される。
【００２７】
このとき、同調に失敗する場合もある。同調が失敗する主な原因として以下のものがある。
ａ）設定した周波数の同期補足失敗
ｂ）放送休止（指定したトランスポートストリームＩＤに該当するＴＳが存在しない）
ステップＳ２で、チューナー１１への同調が失敗した場合は、選局失敗としてその選局は終了する（ステップＳ１９）。
【００２８】
またチューナー１１への同調が成功した場合は、選局を行いたい番組のＴＳがチューナー１１から出力され、その後段のデバイスに流れることになる。そして次の選局処理としてＰＡＴの取得を行う（ステップＳ３）。
ＰＡＴは、デジタル放送のＴＳには必ず含まれているセクション情報であり、以下の情報が含まれる。
ａ）ネットワーク情報のＰＩＤ（パケット識別子）
ｂ）ＰＭＴのＰＩＤ
【００２９】
ステップＳ３でＰＡＴが取得できない場合、もしくは存在しない場合は、これより後の選局処理を続行することが不可能であるため、選局失敗としてその選局は終了する（ステップＳ１９）。
またＰＡＴの取得が成功した場合は、ＰＭＴのＰＩＤが取得できたことになり、次の選局処理としてＰＭＴの取得を行う（ステップＳ４）。ＰＭＴは、番組を構成する各ＥＳ（ビデオ／オーディオ／データ／字幕／スーパー）の情報が記載されている。ＰＭＴに記載されているＥＳの情報としては以下のようなものがある。
【００３０】
ａ）番組全体の限定受信に関する情報
ｂ）番組全体のデジタルコピーコントロール情報
ｃ）各ＥＳの種類
ｄ）各ＥＳのＰＩＤ
ｅ）各ＥＳの限定受信に関する情報
ｆ）各ＥＳのデジタルコピーコントロール情報
ｇ）各ＥＳの階層伝送情報
ｈ）各ＥＳの受信可能地域情報
【００３１】
ステップＳ４でＰＭＴが取得できない場合は、これより後の選局処理を続行することが不可能であるため、選局失敗としてその選局は終了する（ステップＳ１９）。
またＰＭＴの取得が成功した場合は、選局や出力に必要な情報およびビデオＥＳの個数が取得できたことになり、次の選局処理のステップへ移行し、ＥＳのスクランブルの解除（デスクランブル）処理を行う（ステップＳ５）。
【００３２】
ＥＳデータにスクランブルが施されていない場合は、ステップＳ５で行う処理はないので、次の選局処理のステップへ移行する。またＥＳデータにスクランブルが施されている場合には、スクランブルを解除してデコードすることが可能なＥＳデータに変換する必要がある。この処理をデスクランブルと呼ぶ。
【００３３】
ここでは、ＣＡＴ（Ｃｏｎｄｉｔｉｏｎａｌ  Ａｃｃｅｓｓ  Ｔａｂｌｅ）セクション情報、ＥＣＭ（Ｅｎｔｉｔｌｅｍｅｎｔ  Ｃｏｎｔｒｏｌ  Ｍｅｓｓａｇｅ）セクション情報、ＥＭＭ（Ｅｎｔｉｔｌｅｍｅｎｔ  Ｍａｎａｇｅｍｅｎｔ  Ｍｅｓｓａｇｅ）セクション情報およびＩＣカードへのアクセスから得たデスクランブル鍵をデスクランブラに設定することによってデスクランブルが行われる。デスクランブラ１２に正しいデスクランブル鍵情報が設定されると、ＥＳデータはスクランブルが解けた状態になってデスクランブラ１２からＰＩＤフィルタ１３に送出される。
【００３４】
デスクランブルが正常に終了し、スクランブルが解けたＥＳデータが得られた後、ステップＳ４で得られたビデオＥＳの数を確認する（ステップＳ６）。
ビデオＥＳが１つしか存在しない場合は、複数のビデオＥＳのデコード処理を行う必要がないので、ステップＳ１５〜Ｓ１６に移行する。ステップＳ１５では、１つ存在しているビデオＥＳのＰＩＤ設定を行う。この処理を行うことにより、所望のビデオＥＳデータがＰＩＤフィルタ１３を通過してビデオデコーダ１５に送られる。ステップＳ１６では、ＰＩＤフィルタ１３から送出されるビデオＥＳデータのデコードを行い、映像データに復号する。
【００３５】
ステップＳ６で、番組内に複数のビデオＥＳが存在している場合は、複数のビデオＥＳのビデオデコードを行うために次のステップへ移行する。
ステップＳ７では、複数のビデオＥＳが存在した場合に、複数のビデオＥＳのデコードを行うかどうかの設定を確認する。複数のビデオＥＳのデコードを行うかどうかは、ユーザによって予め設定されている。
【００３６】
設定が無効であれば、１つのビデオＥＳをデコードするだけでよいので、ステップＳ１５からステップＳ１６の処理に移行して、１系統のみのビデオデコード処理を行う。また、設定が有効であれば、複数のビデオデコードを行う必要があるため、ステップＳ８に移行して複数のビデオＥＳをデコードする処理を継続する。
【００３７】
ステップＳ８では、ビデオデコードを行うビデオＥＳの個数を取得する。このビデオＥＳの個数もユーザによって予め設定されており、その設定されている個数（以下、ｘ個とする）を取得して次のステップに移行する。
設定方法の一例としては、［１個］,［２個］,［３個］・・・，［番組に含まれるビデオＥＳ全て］のように設定する。
【００３８】
ただし、１つの番組に含まれる全てのビデオＥＳをビデオデコードする設定以外の場合は、全てのビデオＥＳのビデオデコードが行われない可能性がある。
このとき、ビデオデコードが行われていないビデオＥＳへの切り替えが発生した場合は、従来のビデオＥＳ切り替えと同様に、切り替える前のビデオＥＳ  ＰＩＤのクリアおよびビデオデコーダ１５の停止を行う必要があり、さらに切り替え先のビデオＥＳ  ＰＩＤの設定およびビデオデコーダ１５の開始を行う必要がある。そのため、同時にビデオデコードを行うビデオＥＳの個数の設定では、デフォルトの設定として、番組に含まれる全てのビデオＥＳのビデオデコードを行う設定にしておくことが望ましいと考えられる。
【００３９】
ステップＳ９では、ｘ個のビデオＥＳのデコードを同時に行うことができるだけのデバイスが空いているかどうかを確認する。本例では、図５に示すようなデバイス使用状況管理テーブルによって、各デバイスの使用状況を把握する。
【００４０】
図３を参照して、まず管理テーブル内の記号の意味を説明する。管理テーブルは、縦に選局経路（１）〜（ｎ）、横にデバイスをとったマトリクスになっている。管理テーブル中の記号として、“○”は使用可であることを示し、“×”は使用不可であることを示し、“（１）”,“（２）”,“（３）”・・・は、選局経路（１）,（２）,（３）・・・で使用中であることを示している。
【００４１】
図３の例では、選局経路（１）を用いて番組を選局しようとしたところ、ビデオＥＳが２個以上存在し、その２個のビデオＥＳを同時にデコードしていることを表している。ここで、選局経路（２）のチューナー１１およびデスクランブラ１２およびＤｅｍｕｘ１４は、選局経路（２）でチューナー１１から番組を受信したとしても、ビデオＥＳのデコードを行うことができず、映像を出力することができないので使用不可となる。
新たな番組を選局する際には、図５に示すように、選局経路（２）ではなく選局経路（３）を用いて選局を行うことになる。
このように本実施形態では、複数のビデオエレメンタリーストリームのデコードを行う複数のデバイスの使用状況を管理する管理テーブルを有し、その管理テーブルの使用状況に従って複数のビデオエレメンタリーストリームのデコードを行うデバイスを選択できるようにしている。
【００４２】
図２のフローチャートに戻って説明する。ステップＳ９で、管理テーブルから空きのデバイスが存在するかどうかを確認し、ｘ個分のデバイスの空きがあった場合は、ステップＳ１１に移行し、ｘ個分の空きがなかった場合は、ステップＳ１０に移行する。
【００４３】
ステップＳ１０では、ビデオデコードを行いたい個数分のデバイスが空いていない状況であるが、現段階で空いているデバイスの最大数を取得する。この最大数をｘに再設定し、可能な限り多くのビデオデコードを行うようにして、ステップＳ１１に移行する。
ステップＳ１１では、デスクランブラ１２からの番組データの出力をｘ分岐して、ｘ個のＰＩＤフィルタ１３に入力する処理を行う。
【００４４】
続いて、ステップＳ１２では、デスクランブラからｘ分岐して番組データが入力されているｘ個のＰＩＤフィルタ１３にそれぞれのビデオＥＳのＰＩＤを設定する。この処理を行うことにより、それぞれのビデオデコーダ１５に、各ビデオＥＳデータが入力されることになる。
そしてステップＳ１３では、ｘ個のビデオＥＳデータのデコードを行う。それぞれのビデオＥＳデータがそれぞれビデオデコーダ１５に入力されているので、それぞれビデオデコードを行い、ビデオデコードした映像データをセレクタ１６へと送出する。
【００４５】
ステップＳ１４では、セレクタ１６の制御を行って、ビデオデコードした映像データから実際に出力を行う映像データを選択して、出力部１７へ送出する。このセレクタ処理では、複数の映像データの中から、出力を行いたい映像データのみを選択して、出力部１７へ送出する処理を行うことができる。
具体的には、１つの番組内の複数のビデオＥＳの切り替え時に、このセレクタ制御を行うだけでビデオＥＳの切り替えを行うことが考えられる。また、他の番組のビデオＥＳのデコードを同時に行っているのであれば、他の番組への切り替え時もセレクタ制御を行うだけで選局が可能になる。これにより、ビデオＥＳの切り替えや他の番組への選局処理にかかる時間が短縮される。
【００４６】
次に、上記のフローチャートの動作を図４および図５を例にとってさらに具体的に説明する。
ここでは、説明を容易にするため、システムには、選局経路（１）からビデオＥＳが４個（以下、ビデオＥＳ（１）〜ビデオＥＳ（４）とする）含まれている番組データが入力されているものとする。
【００４７】
まず、複数ビデオＥＳの同時デコード設定機能が無効な場合のシステムの動作について図４を用いて説明する。この状態は、上述した従来のデジタル放送受信機で一般的に用いられている構成と同様の処理になる。
【００４８】
図４では、チューナー１１から入力された番組データは、ＰＡＴおよびＰＭＴの取得に成功した後、デスクランブラ１２において復号された番組データがＰＩＤフィルタ１３に入力されている。この場合、複数ビデオＥＳの同時デコード設定が無効なので、デスクランブラ１２の出力は、選局経路（１）のＰＩＤ  Ｆｉｌ（１）に入力するだけでよいことになる。このときのＰＩＤ  Ｆｉｌ（１）への設定は、ビデオＥＳ（１）のＰＩＤを設定することになる。
【００４９】
この条件の下では、複数ビデオＥＳのうち１つのビデオＥＳしかデコードされていないので、ビデオＥＳの切り替えを行うときは、切り替え前のビデオＥＳ  ＰＩＤのクリアおよびビデオデコーダ１５の停止、切り替え先のビデオＥＳのＰＩＤ設定およびビデオデコーダ１５の開始を行う必要がある。
【００５０】
次に、複数ビデオＥＳの同時デコード設定機能が有効で、かつデコードを行う個数が３個に設定されている場合のシステムの動作について図５を用いて説明する。
図４と同様に、チューナー１１から入力された番組データは、ＰＡＴおよびＰＭＴの取得に成功した後、デスクランブラ１２において復号された番組データがＰＩＤフィルタ１３に入力されている。
【００５１】
ここで、複数ビデオＥＳの同時デコード設定が有効で、かつ３個のデコードを行う設定になっているので、デスクランブラ１２の出力を選局経路（１）〜（３）のＰＩＤフィルタ１３（ＰＩＤ ＦｉＬ（１）〜（３））に分岐させる必要がある。
選局経路（１）〜（３）のＰＩＤフィルタ１３には、ビデオＥＳ（１）、ビデオＥＳ（２）、ビデオＥＳ（３）のＰＩＤをそれぞれ設定する。それぞれのＰＩＤフィルタ１３を通過した各ビデオＥＳは、各ビデオデコーダ１５において映像データにデコードされる。映像データはセレクタ１６を通して、最大３系統同時に出力することが可能となり、１つの番組内の複数ビデオＥＳを同時に視聴することができる。
【００５２】
また、映像データを１系統しか出力していない場合は、ＥＳ切り替えによって他のビデオＥＳに切り替えるが、既にデコードまで行っているビデオＥＳへの切り替えに関しては、セレクタ１６の切り替え制御を行うだけで、切り替えが完了することになる。ただし、この例では、ビデオＥＳ（４）のデコードは行っていないので、ビデオＥＳ（４）への切り替えに関しては、切り替え前のビデオＥＳ  ＰＩＤのクリアおよびビデオデコーダ１５の停止、切り替え先のビデオＥＳのＰＩＤ設定およびビデオデコーダ１５の開始を行う必要がある。
【図面の簡単な説明】
【００５３】
【図１】本発明によるデジタル放送受信装置の一実施形態を説明するためのブロック図である。
【図２】本発明によるデジタル放送受信装置における選局処理の一例を説明するためのフローチャートである。
【図３】本発明によるデジタル放送受信装置のデバイスの使用状況を管理するための管理テーブルの一例を示す図である。
【図４】１つの番組中に複数のビデオＥＳが存在しない場合、もしくは１つの番組内に複数のビデオＥＳのデコードを同時に行わない場合に、別の複数の番組のそれぞれのビデオデコードを行うときの各デバイスの接続関係を表した図である。
【図５】１つの番組中に複数のビデオＥＳが存在した場合、それに含まれるそれぞれのビデオＥＳのビデオデコードを同時に行うときの各デバイスの接続関係を表した図である。
【符号の説明】
【００５４】
１０…デバイス、１１…チューナー、１２…デスクランブラ、１３…ＰＩＤフィルタ、１４…Ｄｅｍｕｘ、１５…ビデオデコーダ、１６…セレクタ、１７…出力部。
【図１】
2007267213.tif 000003
【図２】
2007267213.tif 000004
【図３】
2007267213.tif 000005
【図４】
2007267213.tif 000006
【図５】
2007267213.tif 000007